(57)【要約】【課題】安価な装置構成であっても動画像を確認することができる動画像印刷装置を提供する。【解決手段】連続した多数のフレーム画像からなるストリーミングデータに基づいて印刷を行う動画像印刷装置Ａであって、ＣＰＵ１０は、ストリーミングデータから時間的に離散した複数のＩフレーム画像を抽出する。抽出された複数のＩフレーム画像は、印刷部２１により一覧印刷される。【選択図】　図１
2004015585.tif 000002
【特許請求の範囲】
【請求項１】
連続した多数のフレーム画像からなる動画像データに基づいて印刷を行う動画像印刷装置であって、
前記動画像データから時間的に離散した複数のフレーム画像を抽出するフレーム画像抽出手段と、
前記フレーム画像抽出手段で抽出された複数のフレーム画像を印刷する印刷手段とを備えたことを特徴とする動画像印刷装置。
【請求項２】
前記動画像データは、所定の動画圧縮形式からなるストリーミングデータであり、前記フレーム画像抽出手段は、前記ストリーミングデータを受信しながら一定時間間隔おきに、かつ、そのストリーミングデータを構成する上で単独圧縮された特定のフレーム画像のみを抽出する、請求項１に記載の動画像印刷装置。
【請求項３】
前記フレーム画像抽出手段は、前記特定のフレーム画像を受信するのに伴い復元する一方、特定以外のフレーム画像については復元することなく破棄する、請求項２に記載の動画像印刷装置。
【請求項４】
前記印刷手段は、前記複数のフレーム画像を１枚の用紙に印刷する、請求項１ないし３のいずれかに記載の動画像印刷装置。
【請求項５】
前記印刷手段により用紙１枚当たりに印刷されるフレーム画像数を設定変更するための画像数設定変更手段を有する、請求項４に記載の動画像印刷装置。
【請求項６】
前記複数のフレーム画像を外部接続されたコンピュータあるいは画像表示装置に転送するフレーム画像転送手段を備えている、請求項１ないし５のいずれかに記載の動画像印刷装置。
【請求項７】
前記連続した多数のフレーム画像とともに前記動画像データに収録された音声データを読み出し、その音声データをテキストデータに変換する音声テキスト変換手段を備え、前記印刷手段は、前記音声テキスト変換手段で変換して得られたテキストデータを前記複数のフレーム画像に対応付けて印刷する、請求項１ないし６のいずれかに記載の動画像印刷装置。
【請求項８】
連続した多数のフレーム画像からなる動画像データに基づいて印刷を行う動画像印刷方法であって、
前記動画像データから時間的に離散した複数のフレーム画像を抽出するフレーム画像抽出ステップと、
前記フレーム画像抽出ステップで抽出された複数のフレーム画像を印刷する印刷ステップとを実行することを特徴とする動画像印刷方法。
【請求項９】
連続した多数のフレーム画像からなる動画像データに基づいて印刷手段に印刷させるためのコンピュータプログラムであって、
前記動画像データから時間的に離散した複数のフレーム画像を抽出するフレーム画像抽出タスクと、
前記フレーム画像抽出タスクで抽出された複数のフレーム画像を前記印刷手段に印刷させる印刷タスクとをコンピュータに実行させることを特徴とするコンピュータプログラム。
【発明の詳細な説明】
【０００１】
【発明の属する技術分野】
本発明は、たとえばＭＰＥＧ形式のストリーミングデータに基づいて印刷するための動画像印刷装置、動画像印刷方法、およびコンピュータプログラムに関する。
【０００２】
【従来の技術】
昨今、インターネットのインフラとしては、ＡＤＳＬ（Ａｓｙｍｍｅｔｒｉｃ　Ｄｉｇｉｔａｌ　Ｓｕｂｓｃｒｉｂｅｒ　Ｌｉｎｅ）、ＣＡＴＶ（Ｃａｂｌｅ　Ｔｅｌｅｖｉｓｉｏｎ）ネットワーク、ＦＴＴＨ（Ｆｉｂｅｒ　ｔｏ　ｔｈｅ　Ｈｏｍｅ）などの拡充によりブロードバンド接続環境が整いつつある。このようなブロードバンド接続環境下では、比較的データ量が大きい動画像データをダウンロードしながらほとんど待ち時間無く再生することができ、いわゆるストリーミング配信が可能とされる。
【０００３】
ストリーミングデータとしての動画像データは、代表的なものではＭＰＥＧ方式により圧縮されてインターネット上のサーバに置かれている。ＭＰＥＧ方式の動画像データは、時間的に連続した多数のフレーム画像により構成される。フレーム画像は、他のフレーム画像との差分を求めずにそのまま単独で空間圧縮のみされたＩフレーム画像（Ｉｎｔｒａ　Ｐｉｃｔｕｒｅ）、Ｉフレーム画像との差分を取って片方向のみ動き補償されたＰフレーム画像（Ｐｒｅｄｉｃｔｉｖｅ　Ｐｉｃｔｕｒｅ）、Ｉフレーム画像とＰフレーム画像との双方向で動き補償を行って差分を取ったＢフレーム画像（Ｂｉｄｉｒｅｃｔｉｏｎａｌｌｙ　Ｐｒｅｄｉｃｔｉｖｅ　Ｐｉｃｔｕｒｅ）の３タイプに分かれて圧縮されている。インターネットに接続されたパーソナルコンピュータでは、ＭＰＥＧ形式の動画像データをバッファリングにより受信しながらＩ，Ｐ，Ｂフレーム画像を復元し、これらを時系列順に再生することで画面上に一連の動画像を表示することができる。
【０００４】
【発明が解決しようとする課題】
ところで、最近は、パーソナルコンピュータなどを介することなく直接インターネットに接続できる家庭用のファクシミリ装置が受用されつつある。このようなファクシミリ装置でストリーミングデータを受けて動画像を直接表示させることも技術的には可能と考えられる。
【０００５】
しかしながら、動画像を直接表示させるには、バッファ用に大容量のメモリや圧縮画像を復元するためのデコーダ回路、さらには動画像を表示する比較的大型の表示パネルを備えなければならならない。つまり、これらの装置構成をファクシミリ装置に採用するのはコストパフォーマンスなどの点から現実的ではないので、安価な装置構成を採用しつつも動画像を確認できるファクシミリ装置が要請されていた。
【０００６】
本発明は、上記の点に鑑みて提案されたものであって、安価な装置構成であっても動画像を確認することができる動画像印刷装置、動画像印刷方法、およびコンピュータプログラムを提供することを目的とする。
【０００７】
【課題を解決するための手段】
上記目的を達成するために、請求項１に記載した発明の動画像印刷装置は、連続した多数のフレーム画像からなる動画像データに基づいて印刷を行う動画像印刷装置であって、前記動画像データから時間的に離散した複数のフレーム画像を抽出するフレーム画像抽出手段と、前記フレーム画像抽出手段で抽出された複数のフレーム画像を印刷する印刷手段とを備えたことを特徴とする。
【０００８】
このような動画像印刷装置によれば、動画像データに含まれる全てのフレーム画像を処理する必要はなく、時間的に離散した１コマ１コマのフレーム画像を抽出して自動的に印刷するだけなので、動画像を表示するための複雑で高価な装置構成によらずとも、印刷結果からコマ送り状の静止画像として動画像を確認することができる。
【０００９】
また、請求項２に記載した発明の動画像印刷装置は、請求項１に記載の動画像印刷装置であって、前記動画像データは、所定の動画圧縮形式からなるストリーミングデータであり、前記フレーム画像抽出手段は、前記ストリーミングデータを受信しながら一定時間間隔おきに、かつ、そのストリーミングデータを構成する上で単独圧縮された特定のフレーム画像のみを抽出する。
【００１０】
このような動画像印刷装置によれば、請求項１に記載の動画像印刷装置による効果に加えて、たとえば所定の動画圧縮形式としてＭＰＥＧ形式のストリーミングデータを受信する場合、そのＭＰＥＧ形式のストリーミングデータから特定のＩフレーム画像だけを抽出して印刷することができる。
【００１１】
さらに、請求項３に記載した発明の動画像印刷装置は、請求項２に記載の動画像印刷装置であって、前記フレーム画像抽出手段は、前記特定のフレーム画像を受信するのに伴い復元する一方、特定以外のフレーム画像については復元することなく破棄する。
【００１２】
このような動画像印刷装置によれば、請求項２に記載の動画像印刷装置による効果に加えて、たとえばＭＰＥＧ形式のストリーミングデータに含まれるＰフレーム画像やＢフレーム画像については復元のためのデコード処理を行う必要はなく、Ｉフレーム画像のみを復元する必要最小限のハードウェアやソフトウェアを備えた上で待ち時間をできる限り感じさせることなく印刷することができる。
【００１３】
また、請求項４に記載した発明の動画像印刷装置は、請求項１ないし３のいずれかに記載の動画像印刷装置であって、前記印刷手段は、前記複数のフレーム画像を１枚の用紙に印刷する。
【００１４】
このような動画像印刷装置によれば、請求項１ないし３のいずれかに記載の動画像印刷装置による効果に加えて、１つのフレーム画像を１枚の用紙に印刷する場合に比べて用紙の無駄がなく、しかも、動画像がコマ送り状の静止画像として用紙上に一覧印刷されるために一目で動画像の大筋内容を把握することができる。
【００１５】
さらに、請求項５に記載した発明の動画像印刷装置は、請求項４に記載の動画像印刷装置であって、前記印刷手段により用紙１枚当たりに印刷されるフレーム画像数を設定変更するための画像数設定変更手段を有する。
【００１６】
このような動画像印刷装置によれば、請求項４に記載の動画像印刷装置による効果に加えて、ユーザが画像数を設定変更することで用紙１枚当たりのフレーム画像数を多くしたり少なくすることができる。
【００１７】
また、請求項６に記載した発明の動画像印刷装置は、請求項１ないし５のいずれかに記載の動画像印刷装置であって、前記複数のフレーム画像を外部接続されたコンピュータあるいは画像表示装置に転送するフレーム画像転送手段を備えている。
【００１８】
このような動画像印刷装置によれば、請求項１ないし５のいずれかに記載の動画像印刷装置による効果に加えて、たとえば用紙切れなどにより印刷できない際にストリーミングデータを受信しても、バックアップやモニタリングのためにフレーム画像をコンピュータや画像表示装置に転送することができ、これらコンピュータや画像表示装置上でフレーム画像を確認することができる。
【００１９】
さらに、請求項７に記載した発明の動画像印刷装置は、請求項１ないし６のいずれかに記載の動画像印刷装置であって、前記連続した多数のフレーム画像とともに前記動画像データに収録された音声データを読み出し、その音声データをテキストデータに変換する音声テキスト変換手段を備え、前記印刷手段は、前記音声テキスト変換手段で変換して得られたテキストデータを前記複数のフレーム画像に対応付けて印刷する。
【００２０】
このような動画像印刷装置によれば、請求項１ないし６のいずれかに記載の動画像印刷装置による効果に加えて、フレーム画像に付随する音声データをテキストデータに変換することができ、テキストデータに基づく文字を各フレーム画像に対応するものとして印刷することができる。
【００２１】
また、請求項８に記載した発明の動画像印刷方法は、連続した多数のフレーム画像からなる動画像データに基づいて印刷を行う動画像印刷方法であって、前記動画像データから時間的に離散した複数のフレーム画像を抽出するフレーム画像抽出ステップと、前記フレーム画像抽出ステップで抽出された複数のフレーム画像を印刷する印刷ステップとを実行することを特徴とする。
【００２２】
このような動画像印刷方法によれば、請求項１に記載の動画像印刷装置によるものと同様の効果を達成することができる。
【００２３】
さらに、請求項９に記載した発明のコンピュータプログラムは、連続した多数のフレーム画像からなる動画像データに基づいて印刷手段に印刷させるためのコンピュータプログラムであって、前記動画像データから時間的に離散した複数のフレーム画像を抽出するフレーム画像抽出タスクと、前記フレーム画像抽出タスクで抽出された複数のフレーム画像を前記印刷手段に印刷させる印刷タスクとをコンピュータに実行させることを特徴とする。
【００２４】
このようなコンピュータプログラムによれば、たとえば単なる印刷手段としての機能しかないプリンタをコンピュータに接続したシステムでも、請求項１に記載の動画像印刷装置によるものと同様の効果を達成することができる。
【００２５】
【発明の実施の形態】
以下、本発明の好ましい実施の形態について図面を参照して説明する。
【００２６】
図１は、本発明に係る動画像印刷装置を説明するためのブロック図、図２は、動画像印刷装置の外観を示す斜視図である。
【００２７】
図１および図２に示す動画像印刷装置Ａは、プリンタ，スキャナ，コピー，電話，ファクシミリ機能に加え、インターネット接続機能を備えたものであって、宅内に設置されたスプリッタ３０およびＡＤＳＬモデム３１を介してブロードバンド接続方式によりインターネット１に常時接続されたものである。この動画像印刷装置Ａには、パーソナルコンピュータＢが接続されている。ストリーミングサーバＣは、インターネット１上に存在するいわゆるストリーミングデータの配信元であり、ＭＰＥＧ方式で圧縮した動画像データをストリーミングデータとして管理・保存している。
【００２８】
たとえば、動画像印刷装置Ａ上でストリーミングデータの在処を示すＵＲＬ（Ｕｎｉｆｏｒｍ　Ｒｅｓｏｕｒｃｅ　Ｌｏｃａｔｏｒｓ）情報が入力されると、ＡＤＳＬモデム３１、スプリッタ３０、破線で示す加入者線、電話交換局Ｄを経由してストリーミングデータのリクエスト（送信要求情報）がストリーミングサーバＣに送られる。電話交換局Ｄの内部構成については特に図示しないが、動画像印刷装置ＡからのリクエストがＭＤＦ（Ｍａｉｎ　Ｄｉｓｔｒｉｂｕｔｉｎｇ　Ｆｒａｍｅ：主配電盤）、局舎内のスプリッタ、局舎内のルータを経由してインターネット１上のストリーミングサーバＣに届けられる。それに応じてストリーミングサーバＣからは、目的とするストリーミングデータが同じ経路を逆に辿って動画像印刷装置Ａに届けられる。
【００２９】
具体的な構成について述べると、動画像印刷装置Ａは、バス接続されたＣＰＵ１０、ＮＣＵ（Ｎｅｔｗｏｒｋ　Ｃｏｎｔｒｏｌ　Ｕｎｉｔ）１１、ＲＡＭ１２、モデム１３、ＲＯＭ１４、ＥＥＰＲＯＭ１５、ゲートアレイ１６、コーデック１７、およびＤＭＡ（Ｄｉｒｅｃｔ　Ｍｅｍｏｒｙ　Ａｃｃｅｓｓ）コントローラ１８のほか、ゲートアレイ１６に接続された読取部２０、印刷部２１、操作部２２、表示部２３、ＮＩＣ（Ｎｅｔｗｏｒｋ　Ｉｎｔｅｒｆａｃｅ　Ｃａｒｄ）２５、およびＰＣ接続部２６により構成されている。
【００３０】
ＣＰＵ１０は、動画像印刷装置Ａ全体の動作を制御する。ちなみに、ＣＰＵ１０には、ＭＰＥＧ形式のストリーミングデータを受信しながら部分的に復元する画像処理機能や、ストリーミングデータに含まれる音声データをテキストデータに変換する音声テキスト変換機能などが備えられている。ＮＣＵ１１は、スプリッタ３０を介して加入者線に接続されて網制御を行う。ＲＡＭ１２は、ＣＰＵ１０の作業領域や各種データの格納領域などを提供する。具体的に言うと、ＲＡＭ１２には、受信したストリーミングデータを一時蓄積しながら処理するためのＦＩＦＯ（Ｆｉｒｓｔ　Ｉｎ　Ｆｉｒｓｔ　Ｏｕｔ）バッファ領域や、印刷用のデータ格納領域などが設けられている。モデム１３は、ファクシミリデータの変調や復調などを行う。ＲＯＭ１４は、ＣＰＵ１０に実行させる一連のタスクなどを管理する制御プログラムを記憶している。ＥＥＰＲＯＭ１５は、各種のフラグや設定情報などを記憶する。ちなみに、ＥＥＰＲＯＭ１５には、相手先電話番号やメールアドレスなどとともにストリーミングデータの在処を示すＵＲＬ情報があらかじめ登録されている。ゲートアレイ１６は、ＣＰＵ１０と各部２０〜２６との間で各種の信号をやり取りする。コーデック１７は、ファクシミリデータの符号化や復号化を行う。ＤＭＡコントローラ１８は、バスアービタとしてＲＡＭ１２に対するデータの読み書きを直接制御する。
【００３１】
読取部２０は、イメージセンサやＬＥＤ光源などを備え、ＣＰＵ１０に制御されて原稿などからイメージ画像を読み取る。印刷部２１は、ＣＰＵ１０に制御されてたとえばインクジェット方式などにより印刷を行う。操作部２２は、数字や文字を入力するためのテンキー２２Ａ、表示部２３の表示内容に応じた操作を行うための表示操作キー２２Ｂ、その他各種の操作を行うためのファンクションキー２２Ｃにより構成され、各キー２２Ａ，２２Ｂ，２２Ｃからの操作信号は、ゲートアレイ１６を通じてＣＰＵ１０に伝えられる。ファンクションキー２２Ｃには、ストリーミングデータに基づいて印刷するための動画像印刷スタートキーが含まれる。表示部２３は、図２に示すようにたとえば比較的小さい数行表示タイプの液晶画面を備え、ＣＰＵ１０に制御されて主に文字情報を表示する。ＮＩＣ２５は、動画像印刷装置ＡをＬＡＮに接続するためのものであるが、本実施形態では、ＮＩＣ２５にＡＤＳＬモデム３１が接続されている。ＰＣ接続部２６は、たとえばＵＳＢ（Ｕｎｉｖｅｒｓａｌ　Ｓｅｒｉａｌ　Ｂｕｓ）ケーブルなどを用いて動画像印刷装置Ａをパーソナルコンピュータに接続するために利用される。
【００３２】
なお、ストリーミングサーバＣの具体的構成については特に図示しないが、比較的データ量の大きいストリーミングデータを格納するための大容量ハードディスクや、ストリーミングデータを効率良く配信するための仕組みが設けられている点を除き、物理的にはパーソナルコンピュータなどの本体構成と何ら異なるものではない。
【００３３】
次に、要点について説明する。
【００３４】
図３は、ＭＰＥＧ方式で圧縮された動画像データの一般的構造を説明するための説明図である。この図のＶ０〜Ｖ９に示される圧縮前の動画像データは、極めて短い時間間隔をもって連続する多数の静止画像（フレーム画像）を時間順に並べたような構造からなるが、１つ１つの静止画像をそれぞれ独立して圧縮したのではデータ量が膨大になるため、ＭＰＥＧ方式の動画圧縮方式によれば、圧縮前の静止画像Ｖ０〜Ｖ９のそれぞれがＩフレーム画像、Ｐフレーム画像、Ｂフレーム画像のいずれかに圧縮される。
【００３５】
たとえば図３に示すように、動画像データを構成する単体としての静止画像Ｖ０，Ｖ９は、他の静止画像との差分を求めずにそのまま単独でＤＣＴ（ＤｉｓｃｒｅｔｅＣｏｓｉｎｅ　Ｔｒａｎｓｆｏｒｍ：離散コサイン変換）やハフマン符号化により圧縮されることでＩフレーム画像として生成される。また、別の静止画像Ｖ３，Ｖ６は、フレーム間予測によりＩフレーム画像の元になる静止画像Ｖ０，Ｖ９との差分を取ることで片方向のみ動き補償されたＰフレーム画像として生成される。さらに別のＶ１，Ｖ２などの静止画像は、時間的にその前後の場面を映した静止画像Ｖ０，Ｖ９とＶ３，Ｖ６との双方向に動き補償を行い差分を取ることでＢフレーム画像として生成される。このようなＩ，Ｐ，Ｂフレーム画像からなるＭＰＥＧ形式の動画像データは、Ｉ，Ｐ，Ｂフレーム画像のそれぞれが圧縮手順とは逆の手順を経て復元されることにより、一連の静止画像として時間順に再生される。なお、特に図示しないが、ＭＰＥＧ形式の動画像データには、Ｉ，Ｐ，Ｂフレーム画像のそれぞれに付随して圧縮された音声データや再生時間を表す再生時間情報なども含まれ、再生時には、再生時間情報に基づいて動画像とのタイミングの合った音声が出力される。
【００３６】
ストリーミングサーバＣのハードディスクには、上記したようなＩ，Ｐ，Ｂフレーム画像からなるＭＰＥＧ形式の動画像データが保存されている。動画像印刷装置Ａからのリクエストを受けると、ストリーミングサーバＣは、ＵＤＰ（ＵｓｅｒＤａｔａｇｒａｍ　Ｐｒｏｔｏｃｏｌ）による通信プロトコルに従いＭＰＥＧ形式の動画像データをパケットに分割し、ストリーミングデータとして動画像印刷装置Ａに送信する。このＵＤＰの通信プロトコルによれば、ストリーミングサーバＣと動画像印刷装置Ａとの間でセッションが確立されず、ＴＣＰ（Ｔｒａｎｓｍｉｓｓｉｏｎ　Ｃｏｎｔｒｏｌ　Ｐｒｏｔｏｃｏｌ）のような誤り訂正や再送を行わないため、インターネット１上でパケットの紛失があってもそのパケットを無視してほとんど待ち時間無くスムーズにストリーミングデータがやり取りされる。
【００３７】
そして、本実施形態の技術的な特徴は、以下の点に集約される。
【００３８】
つまり、ＭＰＥＧ形式のストリーミングデータをパケットにより受信した動画像印刷装置Ａでは、ＣＰＵ１０が各パケットからデータを取り出すとともに、取り出したデータを再生時間順にＲＡＭ１２のＦＩＦＯバッファ領域に一時格納する。そして、ＣＰＵ１０は、所定のタイミングでＦＩＦＯバッファ領域からデータを読み出すが、読み出したデータがＩフレーム画像の場合に限りそのＩフレーム画像を抽出し、ＭＰＥＧ方式に従って展開（復元）する。このＩフレーム画像を展開することで単体として得られた静止画像は、さらにＣＰＵ１０が所定の時間間隔（たとえば３０秒）ごとにデータ処理タイミングを計ることにより、そのデータ処理タイミングの直前に展開されたものに限ってＲＡＭ１２の印刷用データ格納領域に転送される。このとき、印刷用データ格納領域に転送された静止画像は、所定のデータサイズに縮小される。最終的に、印刷用データ格納領域の空き容量が無くなると、その印刷用データ格納領域に蓄積されている静止画像が全て読み出され、サムネイル状の一覧画像として１枚の用紙上に印刷される。
【００３９】
要するに、動画像印刷装置ＡのＣＰＵ１０は、ＭＰＥＧ形式のストリーミングデータから時間的にある程度の間隔で離散した複数のＩフレーム画像を抽出し、このＩフレーム画像のみを展開（復元）する機能を有するが、Ｐ，Ｂフレーム画像については破棄することで動き補償に基づく展開機能が省略されており、これによりＣＰＵ１０の回路構成や制御プログラムが簡素化されている。また、Ｐ，Ｂフレーム画像だけでなくデータ処理タイミングに合わないＩフレーム画像も印刷用データ格納領域に保存されることはないので、その分、比較的データ量が大きいストリーミングデータでも小容量のＲＡＭ１２で対応可能とされる。そして、動画像印刷装置Ａでは、ストリーミングデータに基づく動画像が表示されることはなく、たとえば３０秒間隔で抽出された多数の静止画像が１枚の用紙上に一覧印刷されるので、その一覧印刷の結果を見たユーザは、ストリーミングデータとして送られてきた動画像の大筋内容を時間順に並んだ静止画像から把握することができる。
【００４０】
次に、フローチャートなどを参照して詳しく説明する。
【００４１】
図４および図５は、ストリーミングデータに基づく動画像の印刷処理手順を示すフローチャートである。まず、図４に示すように、ユーザにより動画像印刷スタートキーが押下されると（Ｓ１：ＹＥＳ）、ＣＰＵ１０は、ストリーミングデータの配信元を示すＵＲＬ情報を入力するためのプロンプトを表示部２３に表示させる（Ｓ２）。
【００４２】
それに応じてユーザによりＵＲＬ情報の入力が確定されると（Ｓ３：ＹＥＳ）、ＣＰＵ１０は、そのＵＲＬ情報で指定されたストリーミングサーバＣに対し、ストリーミングデータを送信要求するためのリクエスト情報を送出する（Ｓ４）。これによりリクエスト情報を受けたストリーミングサーバＣからは、動画像印刷装置Ａに対して上記ＵＲＬ情報で指定されたストリーミングデータがパケットにより送信されてくる。なお、ＵＲＬ情報の入力操作は、ＥＥＰＲＯＭ１５にあらかじめ登録済みのものを指定するのが最も簡単であるが、ＵＲＬ情報に相当する文字列を直接キー入力するようにしても良い。
【００４３】
ストリーミングサーバＣからのストリーミングデータを受信すると（Ｓ５：ＹＥＳ）、ＣＰＵ１０は、パケットにより受信したストリーミングデータを再生順に並べ替えながらＲＡＭ１２のＦＩＦＯバッファ領域に順次格納する（Ｓ６）。このとき、ストリーミングデータは、ＭＰＥＧ方式で圧縮されたデータ本体（ペイロード）を含むパケットデータとして一時的にＦＩＦＯバッファ領域に格納される。
【００４４】
次いで図５に示すように、ＣＰＵ１０は、タイムスタンプ用のタイマをリセットするとともに、ＲＡＭ１２の印刷用データ格納領域をクリアする（Ｓ１１）。ここで言うタイムスタンプとは、たとえば３０秒間隔ごとに所定のデータ処理を実行する際、各実行時点の時間を特定するためのものである。また、タイマとは、ＣＰＵ１０のリアルタイムクロック機能などを利用してタイムスタンプを取得するために利用される。
【００４５】
そして、ＦＩＦＯバッファ領域からはストリーミングデータが時間順に読み出されるが、ＣＰＵ１０は、そのストリーミングデータの中でもＩフレーム画像のみを抽出し、元の静止画像を生成するために展開する（Ｓ１２）。つまり、ＭＰＥＧ形式のストリーミングデータに含まれるＩ，Ｐ，Ｂフレーム画像は、受信時のバッファリングにより一時的には蓄積されるが、Ｐ，Ｂフレーム画像については展開されずに不要な情報として破棄されるのである。一方、Ｉフレーム画像については、極めて短い時間間隔ごとに抽出・展開されて元の静止画像に復元される。
【００４６】
以上のようにしてＩフレーム画像から元の静止画像が生成されるが、タイムスタンプを取得するタイミングになった時に限り（Ｓ１３：ＹＥＳ）、ＣＰＵ１０は、その直前に得られた静止画像とタイムスタンプとをＲＡＭ１２の印刷用データ格納領域に格納している（Ｓ１４）。つまり、Ｉフレーム画像を展開することで生成された元の静止画像でも、タイムスタンプを取得するタイミングに合わない静止画像については利用もされずに破棄されるのである。なお、印刷用データ格納領域に格納される静止画像は、あらかじめ規定のサイズとなるように縮小される。
【００４７】
そして、印刷用データ格納領域の空き容量が所定レベル以下になると（Ｓ１５：ＹＥＳ）、ＣＰＵ１０は、その時点で印刷用データ格納領域に格納されている全ての静止画像とタイムスタンプとを読み出し、これらを対応付けて１枚の用紙上に印刷させる（Ｓ１６）。なお、印刷用データ格納領域の空き容量を条件とするほか、ストリーミングデータの受信が完了してＦＩＦＯバッファ領域にデータが無くなった場合にも印刷開始される。
【００４８】
図６は、１枚の用紙上に印刷された内容を説明するための説明図であって、この図に一例として示すように、１枚の用紙Ｐ上には、ストリーミングデータから３０秒間隔で抽出された静止画像と、各静止画像に対応するタイムスタンプとが印刷結果として打ち出される。このような印刷結果を見たユーザは、ストリーミングデータを時間的に連続する動画像として確認することはできないにしても、たとえば３０秒間隔といったある程度の時間間隔ごとに抽出して一覧印刷された静止画像を確認することができ、これにより動画像全体の大筋内容を把握することができる。
【００４９】
印刷用データ格納領域から全ての静止画像とタイムスタンプとを読み出して印刷完了すると、ＣＰＵ１０は、印刷用データ格納領域をクリアする（Ｓ１７）。なお、印刷処理中には、それに併行してストリーミングデータの受信も行われる。
【００５０】
最終的に、全てのストリーミングデータの受信が完了すると（Ｓ１８：ＹＥＳ）、ＣＰＵ１０は、フローチャート中には特に図示しないが上記したＳ１２〜Ｓ１４と同様の手順を実行し、その後、印刷用データ格納領域に格納された残りの静止画像とタイムスタンプとを読み出して用紙上に印刷させ（Ｓ１９）、この動画像印刷処理を終える。なお、印刷用データ格納領域に残りの静止画像などが無い場合には、そのまま印刷処理を実行することなく動画像印刷処理を終える。
【００５１】
Ｓ１８において、ストリーミングデータを受信中の場合（Ｓ１８：ＮＯ）、ＣＰＵ１０は、受信したストリーミングデータからＩフレーム画像のみを抽出して展開すべくＳ１２に戻る。
【００５２】
Ｓ１５において、印刷用データ格納領域の空き容量が所定レベル以下でもなく余裕がある場合（Ｓ１５：ＮＯ）、ＣＰＵ１０は、Ｓ１２に戻って一連の処理を行う。
【００５３】
Ｓ１３において、タイムスタンプを取得するタイミングではない場合（Ｓ１３：ＮＯ）、ＣＰＵ１０は、Ｓ１２に戻って一連の処理を行う。つまり、この場合には、Ｉフレーム画像として抽出・展開されたものでも破棄される。
【００５４】
Ｓ５において、ストリーミングデータを受信できなかった場合（Ｓ５：ＮＯ）、ＣＰＵ１０は、その旨のエラーメッセージなどを表示部２３に表示させた後、動画像印刷処理を終える。
【００５５】
Ｓ３において、ＵＲＬ情報の入力が確定されない場合（Ｓ３：ＮＯ）、入力確定されるまでプロンプトを表示部２３に表示させた状態とすべくＳ２に戻る。
【００５６】
Ｓ１において、動画像印刷スタートキーが押下されない場合（Ｓ１：ＮＯ）、ＣＰＵ１０は、ユーザにより動画像印刷スタートキーが押下されるまで動画像印刷処理を実行しない。
【００５７】
したがって、本実施形態に係る動画像印刷装置Ａによれば、ＭＰＥＧ形式のストリーミングデータに含まれるＩ，Ｐ，Ｂフレーム画像の全てをデータ処理する必要はなく、たとえば３０秒間隔ごとに点在する特定のＩフレーム画像がストリーミングデータから抽出・展開されて自動的に印刷される。そのため、ストリーミングデータに基づく動画像を表示するためのＭＰＥＧデコーダや大型の表示パネルなどといった複雑で高価な装置構成を装備しなくても、Ｉフレーム画像に相当する静止画像の印刷結果からストリーミングデータとして送られてきた動画像の内容を大筋で確認することができる。
【００５８】
また、ストリーミングデータに含まれるＰフレーム画像やＢフレーム画像についてはデータ処理を行うことなく破棄するので、その分、Ｉフレーム画像のデータ処理のみにより待ち時間をできる限り感じさせることなく静止画像を一覧印刷することができる。
【００５９】
また、多数の静止画像が１枚の用紙に一覧印刷されるので、単に１つの静止画像を１枚の用紙に印刷する場合に比べて用紙の無駄がなくランニングコストを抑えることができる。
【００６０】
また、運用形態としては、遠隔地の監視カメラで捉えた映像をストリーミングデータとしてリアルタイムに発信するようなサーバを構築し、そのサーバからのストリーミングデータを動画像印刷装置Ａが受信するといったシステム構成を採用することもできる。
【００６１】
次に、図面を用いて他の実施形態について説明する。
【００６２】
図７は、他の実施形態に係る動画像の印刷処理手順の一部を示すフローチャートである。なお、他の実施形態に係る動画像印刷装置は、基本的には図１および図２に示すような構成からなり、印刷処理手順も大部分は図４に示す手順などと同様であるため、これらの点については同図同符号を用いて図示説明を省略する。ちなみに、図７のフローチャートは、図４のフローチャートに続くものである。
【００６３】
図７に示すように、ＣＰＵ１０は、タイムスタンプ用のタイマをリセットして印刷用データ格納領域をクリアすると（Ｓ２０）、ＦＩＦＯバッファ領域からストリーミングデータを時間順に読み出しながらＩ，Ｐ，Ｂフレーム画像の全てと音声データとを抽出・展開する（Ｓ２１）。
【００６４】
そして、ＣＰＵ１０は、Ｉ，Ｐ，Ｂフレーム画像からなる動画像と音声データとをパーソナルコンピュータＢに転送する（Ｓ２２）。これにより、パーソナルコンピュータＢでは、動画像印刷装置Ａを経由して取り込んだストリーミングデータに基づく動画像や音声を視聴することができる。つまり、他の実施形態に係る動画像印刷処理では、ＭＰＥＧ形式のストリーミングデータに含まれるＩ，Ｐ，Ｂフレーム画像や音声データといった全てのデータが利用される。
【００６５】
さらに、ＣＰＵ１０は、タイムスタンプを取得するタイミングになった時に限り（Ｓ２３：ＹＥＳ）、その直前にＩフレーム画像を展開して得られた静止画像とタイムスタンプとをＲＡＭ１２の印刷用データ格納領域に格納する（Ｓ２４）。つまり、印刷用データ格納領域には、Ｉフレーム画像に相当する静止画像しか蓄積されないので、Ｉ，Ｐ，Ｂフレーム画像や音声データの全てを蓄積する場合に比べて印刷用データ格納領域のサイズを比較的小さくできる。
【００６６】
そして、印刷用データ格納領域の空き容量が所定レベル以下になると（Ｓ２５：ＹＥＳ）、ＣＰＵ１０は、図５のＳ１６，Ｓ１７と同様の処理を行い（Ｓ２６，Ｓ２７）、全てのストリーミングデータの受信が完了すると（Ｓ２８：ＹＥＳ）、ＣＰＵ１０は、フローチャート中には特に図示しないが上記したＳ２１〜Ｓ２４と同様の手順を実行し、動画像と音声データとをパーソナルコンピュータＢに転送しながら印刷用データ格納領域に格納された残りの静止画像とタイムスタンプとを読み出して用紙上に印刷させる（Ｓ２９）。その後、ＣＰＵ１０は、動画像印刷処理を終える。
【００６７】
したがって、他の実施形態に係る動画像印刷処理によれば、先述した実施形態と同様に図６のような印刷結果が得られ、同時にパーソナルコンピュータＢでストリーミングデータに基づく動画像や音声を管理したり視聴したりすることができる。要するに、用紙切れやインク残量不足により印刷できない状態でストリーミングデータを受信しても、送られてきたストリーミングデータに基づいて動画像や音声が全く確認できないわけではなく、バックアップ用やモニタリング用のパーソナルコンピュータＢを用いて動画像や音声を確認することができる。
【００６８】
さらに、他の実施形態について説明する。
【００６９】
図８は、他の実施形態に係る動画像の印刷処理手順の一部を示すフローチャートである。なお、この他の実施形態に係る動画像印刷装置も、基本的には図１および図２に示すような構成からなり、印刷処理手順も大部分は図４に示す手順などと同様であるため、これらの点については同図同符号を用いて図示説明を省略する。ちなみに、図８のフローチャートは、図４のフローチャートに続くものである。
【００７０】
図８に示すように、ＣＰＵ１０は、タイムスタンプ用のタイマをリセットして印刷用データ格納領域をクリアすると（Ｓ３０）、ＦＩＦＯバッファ領域からストリーミングデータを時間順に読み出しながらＩフレーム画像とその前後に付随する一部の音声データとを抽出・展開する（Ｓ３１）。
【００７１】
そして、ＣＰＵ１０は、ストリーミングデータから抽出・展開した音声データをテキストデータに変換する（Ｓ３２）。これにより、時間的な要素を含む音声データは、静的な文字コードベースのデータとしてＣＰＵ１０により取り扱われる。
【００７２】
さらに、ＣＰＵ１０は、タイムスタンプを取得するタイミングになった時に限り（Ｓ３３：ＹＥＳ）、その直前にＩフレーム画像を展開して得られた静止画像と、音声データを変換して得られたテキストデータとしての文字とをＲＡＭ１２の印刷用データ格納領域に格納する（Ｓ３４）。つまり、印刷用データ格納領域には、Ｉフレーム画像に相当する静止画像に加えても、比較的データ量の小さい文字コードベースのデータしか蓄積されないので、Ｉ，Ｐ，Ｂフレーム画像の全てや音声データそのものを蓄積する場合に比べて印刷用データ格納領域のサイズを小さくできる。
【００７３】
そして、印刷用データ格納領域の空き容量が所定レベル以下になると（Ｓ３５：ＹＥＳ）、ＣＰＵ１０は、図５のＳ１６，Ｓ１７と同様の処理を行い（Ｓ３６，Ｓ３７）、全てのストリーミングデータの受信が完了すると（Ｓ３８：ＹＥＳ）、ＣＰＵ１０は、フローチャート中には特に図示しないが上記したＳ３１〜Ｓ３４と同様の手順を実行しながら印刷用データ格納領域に格納された残りの静止画像とテキストデータとを読み出して用紙上に印刷させる（Ｓ３９）。その後、ＣＰＵ１０は、動画像印刷処理を終える。
【００７４】
したがって、他の実施形態に係る動画像印刷処理によれば、図６に示すような印刷結果とは異なり、以下に図９を用いて説明するような印刷結果が得られる。
【００７５】
図９は、他の実施形態による印刷結果を説明するための説明図であって、この図に一例として示すように、１枚の用紙Ｐ上には、ストリーミングデータから３０秒間隔で抽出された静止画像と、各静止画像に対応した文字情報とが印刷結果として打ち出される。この文字情報は、対応する静止画像が仮に動画像として再生されるとした場合、それと同時に音声として出力される一定時間分の音声データをテキストデータに変換して得られたものである。つまり、静止画像に対応して示される文字情報は、その静止画像に関連した意味内容を含んでいる可能性が高い。この点からすると、静止画像と文字情報による印刷結果を見たユーザは、ストリーミングデータに含まれる動画像や音声を時間的に連続するものとして視聴することはできないにしても、一覧印刷された静止画像だけでなく文字情報も参考にして動画像全体の大筋内容を把握することができる。
【００７６】
さらに、他の実施形態について説明する。
【００７７】
図１０は、他の実施形態に係る動画像の印刷処理手順の一部を示すフローチャートである。なお、この他の実施形態に係る動画像印刷装置も、基本的には図１および図２に示すような構成からなり、印刷処理手順も前半部分は図４に示す手順と同様であるため、これらの点については同図同符号を用いて図示説明を省略する。ちなみに、図１０のフローチャートは、図４のフローチャートに続くものである。
【００７８】
図１０に示すように、ＣＰＵ１０は、受信したストリーミングデータのヘッダなどから再生時間情報を取得する（Ｓ４１）。この再生時間情報には、たとえば映画やプロモーションビデオなどに係るストリーミングデータの再生時間が記されている。なお、防犯カメラの映像や生中継の映像などに係るストリーミングデータでは、再生時間情報に有限値からなる再生時間が記されることはない。
【００７９】
再生時間が有限の場合（Ｓ４２：ＹＥＳ）、ＣＰＵ１０は、印刷レイアウトやタイムスタンプ取得時間間隔に関する条件を設定するための画面を表示部２３に表示させる（Ｓ４３）。
【００８０】
図１１は、印刷レイアウトとタイムスタンプ取得時間間隔について説明するための説明図である。この図の上段に示すように、ユーザが設定可能な印刷レイアウトとしては、「画質優先」，「標準」，「用紙節約」，「最大画像数」，「１枚印刷」といったレイアウトタイプが用意されている。「１枚印刷」を除く各レイアウトタイプでは、画像サイズと用紙１枚当たりの画像数とが固定値とされる一方、「１枚印刷」のレイアウトタイプでは、最大画像数（９６画像）の範囲内で可能な限り静止画像を印刷できるように画像サイズと用紙１枚当たりの画像数とが可変値とされている。
【００８１】
また、図１１の下段に示すように、タイムスタンプ取得時間間隔については、再生時間ごとに標準値が定められているが、これをユーザが設定操作により増減変化させることができる。たとえば、「１枚印刷」のレイアウトタイプで再生時間が１５分の場合、タイムスタンプ取得時間間隔を標準値（１分間隔）とすれば、用紙１枚当たりの画像数が１５と計算され、結果的には用紙１枚当たり１５画像に対応可能な「標準」のレイアウトタイプが自動選択されるが、タイムスタンプ取得時間間隔をユーザが標準値よりも短い３０秒間隔に設定した場合、用紙１枚当たりの画像数が３０と計算され、用紙１枚当たり３０画像に対応可能な「用紙節約」のレイアウトタイプが自動選択される。
【００８２】
ちなみに、Ｓ４２において、再生時間が特に記されていない場合（Ｓ４２：ＮＯ）、つまり、防犯カメラの映像や生中継の映像などといった時間制限のないストリーミングデータの場合、ＣＰＵ１０は、印刷開始時刻および印刷終了時刻に関する条件を設定するための画面を表示部２３に表示させる（Ｓ４５）。印刷開始時刻および印刷終了時刻が設定されると、ＣＰＵ１０は、これらの時刻差から再生時間を内部的に算出することができ、算出結果として得られた再生時間からタイムスタンプ取得時間間隔を特定することができる。なお、Ｓ４５においても、ユーザが印刷レイアウトやタイムスタンプ取得時間間隔に関する条件を設定できるとしても良い。
【００８３】
以上のようにして印刷レイアウトやタイムスタンプ取得時間間隔についての設定を確定すると（Ｓ４４：ＹＥＳ）、ＣＰＵ１０は、タイムスタンプ用のタイマをリセットするとともに、ＲＡＭ１２の印刷用データ格納領域をクリアする（Ｓ５１）。なお、印刷レイアウトやタイムスタンプ取得時間間隔についての設定が未確定の場合（Ｓ４４：ＮＯ）、ＣＰＵ１０は、所定時間が経過するまで設定操作を待つが、所定時間を経過しても設定操作が何ら行われない場合、「標準」のレイアウトタイプでタイムスタンプ取得時間間隔も標準値とした上でＳ５１に進む。
【００８４】
そして、ＦＩＦＯバッファ領域からはストリーミングデータが時間順に読み出されるが、ＣＰＵ１０は、そのストリーミングデータの中でもＩフレーム画像のみを抽出し、元の静止画像を生成するために展開する（Ｓ５２）。
【００８５】
その後、ＣＰＵ１０は、Ｓ４３にて設定されたタイムスタンプ取得時間間隔に基づきタイムスタンプを取得するタイミングになった時に限り（Ｓ５３：ＹＥＳ）、その直前に得られた静止画像とタイムスタンプとをＲＡＭ１２の印刷用データ格納領域に格納する（Ｓ５４）。
【００８６】
そして、ＣＰＵ１０は、印刷用データ格納領域に格納された静止画像とタイムスタンプとを読み出し、これらをＳ４３にて設定された印刷レイアウトに基づいて用紙上に印刷させる（Ｓ５６）。
【００８７】
最終的に、全てのストリーミングデータの印刷が完了すると（Ｓ５８：ＹＥＳ）、ＣＰＵ１０は、この動画像印刷処理を終える。
【００８８】
したがって、他の実施形態に係る動画像印刷処理によれば、ユーザが印刷レイアウトやタイムスタンプ取得時間間隔を設定変更することにより、用紙１枚当たりの画像数を連続的に見やすいように多めにしたり、画質を優先させるために少なめにすることができ、ユーザにとって使い勝手を良くすることができる。
【００８９】
なお、本発明は、上記の各実施形態に限定されるものではない。
【００９０】
動画像印刷装置Ａは、インターネット１に対してＡＤＳＬにより常時接続されるが、ＣＡＴＶネットワークやＦＴＴＨにより常時接続しても良い。また、常時接続に限らずダイヤルアップ接続などでも良い。
【００９１】
動画像印刷装置Ａは、パーソナルコンピュータＢに接続されるほか、たとえば単体としての表示装置やビデオデッキに接続しておき、これらの表示装置やビデオデッキに動画像や音声データを転送するようにしても良い。
【００９２】
静止画像を印刷する際には、各静止画像を各用紙に１枚ずつ印刷するようにしても良い。
【００９３】
印刷方式としては、インクジェット方式のほか、トナーを印刷材とした電子写真方式や、インクリボンを用いた昇華方式あるいは感熱方式を採用しても良い。
【００９４】
動画像データは、インターネット１を経由してストリーミングデータとして送られてくるほか、動画像印刷装置Ａに接続されたパーソナルコンピュータＢから直接送られてくるものとしても良い。
【００９５】
変形例としては、単に印刷機能しかなく直接インターネットに接続できないプリンタをパーソナルコンピュータに接続し、上記したような動画像印刷処理用のプログラムをパーソナルコンピュータ上で実行するようにしても良い。
【００９６】
【発明の効果】
以上説明したように、請求項１に記載した発明の動画像印刷装置によれば、動画像データに含まれる全てのフレーム画像を処理する必要はなく、時間的に離散した１コマ１コマのフレーム画像を抽出して自動的に印刷するだけなので、動画像を表示するための複雑で高価な装置構成によらずとも、印刷結果からコマ送り状の静止画像として動画像を確認することができる。
【００９７】
また、請求項２に記載した発明の動画像印刷装置によれば、請求項１に記載の動画像印刷装置による効果に加えて、たとえば所定の動画圧縮形式としてＭＰＥＧ形式のストリーミングデータを直接受信する場合、そのＭＰＥＧ形式のストリーミングデータから特定のＩフレーム画像だけを抽出して印刷することができる。
【００９８】
さらに、請求項３に記載した発明の動画像印刷装置によれば、請求項２に記載の動画像印刷装置による効果に加えて、たとえばＭＰＥＧ形式のストリーミングデータに含まれるＰフレーム画像やＢフレーム画像については復元のためのデコード処理を行う必要はなく、Ｉフレーム画像のみを復元する必要最小限のハードウェアやソフトウェアを備えた上で待ち時間をできる限り感じさせることなく印刷することができる。
【００９９】
また、請求項４に記載した発明の動画像印刷装置によれば、請求項１ないし３のいずれかに記載の動画像印刷装置による効果に加えて、１つのフレーム画像を１枚の用紙に印刷する場合に比べて用紙の無駄がなく、しかも、動画像がコマ送り状の静止画像として用紙上に一覧印刷されるために一目で動画像の大筋内容を把握することができる。
【０１００】
さらに、請求項５に記載した発明の動画像印刷装置によれば、請求項４に記載の動画像印刷装置による効果に加えて、ユーザが画像数を設定変更することで用紙１枚当たりのフレーム画像数を多くしたり少なくすることができる。
【０１０１】
また、請求項６に記載した発明の動画像印刷装置によれば、請求項１ないし５のいずれかに記載の動画像印刷装置による効果に加えて、たとえば用紙切れなどにより印刷できない際にストリーミングデータを受信しても、バックアップやモニタリングのためにフレーム画像をコンピュータや画像表示装置に転送することができ、これらコンピュータや画像表示装置上でフレーム画像を確認することができる。
【０１０２】
さらに、請求項７に記載した発明の動画像印刷装置によれば、請求項１ないし６のいずれかに記載の動画像印刷装置による効果に加えて、フレーム画像に付随する音声データをテキストデータに変換することができ、テキストデータに基づく文字を各フレーム画像に対応するものとして印刷することができる。
【０１０３】
また、請求項８に記載した発明の動画像印刷方法によれば、請求項１に記載の動画像印刷装置によるものと同様の効果を達成することができる。
【０１０４】
さらに、請求項９に記載した発明のコンピュータプログラムによれば、たとえば単なる印刷手段としての機能しかないプリンタをコンピュータに接続したシステムでも、請求項１に記載の動画像印刷装置によるものと同様の効果を達成することができる。
【図面の簡単な説明】
【図１】本発明に係る動画像印刷装置を説明するためのブロック図である。
【図２】動画像印刷装置の外観を示す斜視図である。
【図３】ＭＰＥＧ方式で圧縮された動画像データの一般的構造を説明するための説明図である。
【図４】ストリーミングデータに基づく動画像の印刷処理手順を示すフローチャートである。
【図５】ストリーミングデータに基づく動画像の印刷処理手順を示すフローチャートである。
【図６】１枚の用紙上に印刷された内容を説明するための説明図である。
【図７】他の実施形態に係る動画像の印刷処理手順の一部を示すフローチャートである。
【図８】他の実施形態に係る動画像の印刷処理手順の一部を示すフローチャートである。
【図９】他の実施形態による印刷結果を説明するための説明図である。
【図１０】他の実施形態に係る動画像の印刷処理手順の一部を示すフローチャートである。
【図１１】印刷レイアウトとタイムスタンプ取得時間間隔について説明するための説明図である。
【符号の説明】
１　　インターネット
１０　ＣＰＵ（フレーム画像抽出手段，フレーム画像転送手段，音声テキスト変換手段）
１１　ＮＣＵ
１２　ＲＡＭ
１３　モデム
１４　ＲＯＭ
１５　ＥＥＰＲＯＭ
１６　ゲートアレイ
１７　ＣＯＤＥＣ（コーデック）
１８　ＤＭＡＣ（ＤＭＡコントローラ）
２０　読取部
２１　印刷部（印刷手段）
２２　操作部
２３　表示部
２５　ＮＩＣ
２６　ＰＣ接続部
３０　スプリッタ
３１　ＡＤＳＬモデム
Ａ　　動画像印刷装置
Ｂ　　電話交換局
Ｃ　　ストリーミングサーバ
【図１】
2004015585.tif 000003
【図２】
2004015585.tif 000004
【図３】
2004015585.tif 000005
【図４】
2004015585.tif 000006
【図５】
2004015585.tif 000007
【図６】
2004015585.tif 000008
【図７】
2004015585.tif 000009
【図８】
2004015585.tif 000010
【図９】
2004015585.tif 000011
【図１０】
2004015585.tif 000012
【図１１】
2004015585.tif 000013